(57)【特許請求の範囲】
【請求項１】
金物基体部の一端に脚部の一端が、回動可能に枢着され、前記脚部が作業側と反対側へと突出するフック型ワンサイド固定金物であって、
前記脚部は、前記金物基体部に沿う閉塞位置から、枢着位置を中心として一方向に回動して側方に展開するよう構成されるとともに、当該回動によって側方に展開すると、それ以上に展開することが規制されて固定されるように構成されており、
前記フック型ワンサイド固定金物は、
ネジの足部分を格納する筐体状の前記金物基体部と、
該金物基体部の内部で前記ネジに螺合しているナットと、
前記金物基体部の上部に配設され、前記ネジを上方から貫通させて前記金物基体部へと前記ネジの足部分を誘導し、前記脚部とともに被固定物を挟持固定する固定座金と、を有して構成されており、
前記脚部の一部には、長尺状の部材の一端部が取付けられており、
前記脚部の回動展開に伴い、前記長尺状の部材の他端部は、前記ネジのうち作業側へ配設される頭部から離隔する方向へと移動するとともに、前記脚部と連動して作業側と反対側へと突出するよう構成されていることを特徴とするフック型ワンサイド固定金物。
【請求項２】
前記長尺状の部材の一端部は、前記脚部の自由端側に取付けられることを特徴とする請求項１に記載のフック型ワンサイド固定金物。
【請求項３】
前記ナットは六角ナットであり、前記金物基体部の内幅は、前記ナットの短径より大きく且つ前記ナットの長径より小さくなるように構成され、通常時には前記ナットの短径側で移動可能に内挿されるとともに、前記ネジの締結時には前記ネジの回転により長径側を前記金物基体部の内壁に係止して前記ネジ締結が可能とされることを特徴とする請求項１又は請求項２に記載のフック型ワンサイド固定金物。
【請求項４】
前記閉塞位置においては、前記脚部が自重により開放方向へ展開する力に抗うよう、前記閉塞位置を維持する力が付加されるものであり、
前記閉塞位置を維持する力は、前記金物基体部と前記脚部に形成された凹凸部分の嵌合構造であることを特徴とする請求項１乃至請求項３いずれか一項に記載のフック型ワンサイド固定金物。
【発明の詳細な説明】
【技術分野】
【０００１】
本発明は、複数部材を挟持して固定するための固定金物に係り、特に、部材の片側から固定を行うことが可能であるフック型ワンサイド固定金物に関するものである。
【背景技術】
【０００２】
部材同士を固定する金物として、提案されている金物は、多種多様に存在する。
このような金物の一種として、片側からのアクセスだけで固定を行えるワンサイド固定金物が存在している。
このような、ワンサイド固定金物の中でも、配設段階において、アクセス側と反対側端部に形成されたフック部分が展開して、このフック部分により他方の部材を把持するよう構成されたフック型ワンサイド固定金物が提案されており、施工現場において有効に活用されている（例えば、特許文献１及び特許文献３等参照）。
【０００３】
特許文献１には、パネル取付金物開示されている。
当該金物は、脚部に開閉可能に構成された係止片を有する。
この係止片は閉状態で、Ｈ型鋼フランジ上に載置されたパネルの孔部に挿入され、脚部がパネル孔部から下方へ突出すると同時に開方向へと回動する。
そして、この開放された脚部をＨ型鋼フランジ部の下方面に係止させ、Ｈ型鋼フランジと、パネルとを挟持固定する。
また、特許文献２及び特許文献３にも、ワンサイドで固定される金物が開示されている。
これらの金物もまた、特許文献１に記載の金物とは詳細な構成は異なっているが、Ｈ型鋼フランジ上に載置された被固定物の孔部に挿入され、脚部がパネル孔部から下方へ突出すると同時に開方向へと回動するものである。
そして、この開放された脚部をＨ型鋼フランジ部の下方面に係止させ、Ｈ型鋼フランジと、被固定物とを挟持固定する。
【先行技術文献】
【特許文献】
【０００４】
【特許文献１】特開平０９−２０９４８７号公報
【特許文献２】特許第３８５８１１８号公報
【特許文献３】特開２００３−２８７００８号公報
【発明の概要】
【発明が解決しようとする課題】
【０００５】
しかし、特許文献１乃至特許文献３に記載の技術によると、脚部が自重により開く構造であるため、確実に開いたかどうかを確認する必要があった。
つまり、自重により自然と脚部が開くことを期待する他なく、開いていない場合には、固定不良の原因となるため、作業員が補助をして脚部を開く必要がある。
しかし、下方が狭小空間であったり、視認しづらい場所であると、確認作業が困難であり、このため、脚部が開いたか否かを確実に認知できる構造の金物の開発が求められていた。
【０００６】
本発明の目的は、上記各問題点を解決することにあり、アンカとなる脚部が開放したか否かを確実かつ簡易に認知することが可能とされたフック型ワンサイド固定金物を提供することにある。
【課題を解決するための手段】
【０００７】
上記課題は、請求項１に係るフック型ワンサイド固定金物によれば、金物基体部の一端に脚部の一端が、回動可能に枢着され、前記脚部が作業側と反対側へと突出するフック型ワンサイド固定金物であって、前記脚部は、前記金物基体部に沿う閉塞位置から、枢着位置を中心として一方向に回動して側方に展開するよう構成されるとともに、当該回動によって側方に展開すると、それ以上に展開することが規制されて固定されるように構成されており、前記フック型ワンサイド固定金物は、ネジの足部分を格納する筐体状の前記金物基体部と、該金物基体部の内部で前記ネジに螺合しているナットと、前記金物基体部の上部に配設され、前記ネジを上方から貫通させて前記金物基体部へと前記ネジの足部分を誘導し、前記脚部とともに被固定物を挟持固定する固定座金と、を有して構成されており、前記脚部の一部には、長尺状の部材の一端部が取付けられており、前記脚部の回動展開に伴い、前記長尺状の部材の他端部は、前記ネジのうち作業側へ配設される頭部から離隔する方向へと移動するとともに、前記脚部と連動して作業側と反対側へと突出するよう構成されていることにより解決される。
このとき、具体的な構成としては、請求項２に記載のように、前記長尺状の部材の一端部は、前記脚部の自由端側に取付けられると好適である。
【０００８】
このように、本発明に係るフック型ワンサイド固定金物よれば、回動展開する、つまり、金物基体部に対して回動する脚部に、長尺状の部材の一端部を取付けた。
換言すれば、脚部の移動に伴って移動する長尺の部材を備え付けた。
これにより、脚部が展開したことは、この長尺の部材の他端部を確認することで、確実に認知することが可能となる。
このとき、脚部の自由端側は、回動中心（金物基体部と脚部との枢着部分）に対し、回動距離が一番多い部分であるため、当該脚部の自由端側に長尺の部材の一端部を取付けることによって、より確実に脚部の展開状態を確認することができる。
【０００９】
このとき、具体的な締結機構としては、請求項３に記載のように、前記ナットは六角ナットであり、前記金物基体部の内幅は、前記ナットの短径より大きく且つ前記ナットの長径より小さくなるように構成され、通常時には前記ナットの短径側で移動可能に内挿されるとともに、前記ネジの締結時には前記ネジの回転により長径側を前記金物基体部の内壁に係止して前記ネジ締結が可能とされるよう構成されており、これにより、特殊な構造をとることなく、簡易且つ確実に締結を行うことができる。
【００１０】
また、このとき、請求項４に記載のように、前記閉塞位置においては、前記脚部が自重により開放方向へ展開する力に抗うよう、前記閉塞位置を維持する力が付加されるものであり、前記閉塞位置を維持する力は、前記金物基体部と前記脚部に形成された凹凸部分の嵌合構造であると、閉塞状態維持が簡易になるため、作業性が良好となるとともに、パッキングや輸送において好適である。
【発明の効果】
【００１１】
本発明に係るフック型ワンサイド固定金物によれば、金物基体部に対して回動する脚部に、長尺状の部材の一端部が取付けられ、展開状態を確認するための機構とされている。
つまり、脚部の移動に伴って移動する長尺の部材を備え付けたため、脚部が展開したことは、この長尺の部材の他端部を確認することで、確実に認知することが可能となる。
よって、本発明によれば、簡易な構成にて確実に脚部の展開状態を認知することができる。
【図面の簡単な説明】
【００１２】
【図１】本発明の一実施形態に係るフック型ワンサイド固定金物の使用状態斜視図である。
【図２】本発明の一実施形態に係るフック型ワンサイド固定金物を示す斜視図である。
【図３】本発明の一実施形態に係るフック型ワンサイド固定金物の脚部の動きを示す説明図である。
【図４】本発明の一実施形態に係るフック型ワンサイド固定金物の押圧開放状態を示す説明図である。
【図５】本発明の一実施形態に係るキックバネの動きを示す説明図である。
【図６】本発明の一実施形態に係るフック型ワンサイド固定金物の使用工程を示す説明図である。
【図７】本発明の一実施形態に係るフック型ワンサイド固定金物の使用工程を示す説明図である。
【図８】本発明の一実施形態に係るフック型ワンサイド固定金物の使用工程を示す説明図である。
【図９】本発明の一実施形態に係るフック型ワンサイド固定金物の使用工程を示す説明図である。
【図１０】本発明の一実施形態に係る脚部の開放方向の確認機構を示す説明図である。
【図１１】本発明の一実施形態に係る脚部開放完了確認機構を示す説明図である。
【図１２】本発明に係るストッパ機構を示す説明図である。
【図１３】本発明の一実施形態に係るストッパ機構の係合状態を示す断面説明図である。
【発明を実施するための形態】
【００１３】
以下、本発明の一実施形態を図面に基づいて説明する。
なお、以下に説明する構成は本発明を限定するものではなく、本発明の趣旨の範囲内で種々改変することができるものである。
本実施形態は、アンカとなる脚部が開放したか否かを確実かつ簡易に認知することが可能とされたフック型ワンサイド固定金物に関するものである。
【００１４】
図１乃至図１３は、本発明に係る一実施形態を示すものであり、図１はフック型ワンサイド固定金物の使用状態斜視図、図２はフック型ワンサイド固定金物を示す斜視図、図３はフック型ワンサイド固定金物の脚部の動きを示す説明図、図４はフック型ワンサイド固定金物の押圧開放状態を示す説明図、図５はキックバネの動きを示す説明図、図６乃至図９はフック型ワンサイド固定金物の使用工程を示す説明図、図１０は脚部の開放方向の確認機構を示す説明図、図１１は脚部開放完了確認機構を示す説明図、図１２はストッパ機構を示す説明図、図１３はストッパ機構の係合状態を示す断面説明図である。
【００１５】
図１により、本実施形態に係るフック型ワンサイド固定金物１の使用状態について説明する。
本実施形態においては、Ｈ型鋼で形成された床梁Ｈに、木製の床根太Ｍと、を固定する場合を説明する。
床梁Ｈは、架橋部Ｈ１の長手方向辺に上部フランジＨ２、下部フランジＨ３が形成されたＨ型鋼であり、床根太Ｍは、この床梁Ｈを構成する上部フランジＨ２の上面に載置固定されるものである。
この床根太Ｍの所定箇所（つまり、梁固定箇所）には、円筒状に貫通孔が形成されている。この円筒形状に抜かれた貫通孔を「金物配設孔Ｍ１」と記す。
フック型ワンサイド固定金物１は、この金物配設孔Ｍ１に挿入された状態で、床根太Ｍと床梁Ｈ（上部フランジＨ２）とを連結固定するものである。
以下、フック型ワンサイド固定金物１の詳細構成と、床梁Ｈと床根太Ｍとの連結方法について説明する。
【００１６】
（フック型ワンサイド固定金物の詳細構成について）
本実施形態に係るフック型ワンサイド固定金物１は、埋設筐体部１１と、脚部１２と、ネジ１３と、ナット１４と、押しバネ１５と、キックバネ１６と、固定座金１７と、ガイド座金１８と、を有して構成されている。
本実施形態に係る埋設筐体部１１は、有底筐体であり、略矩形状の埋設底面壁１１Ａの相対向する長辺（使用時に上下方向に延びる辺）からは、埋設側面壁１１Ｂ，１１Ｂが各々起立している。
そして、その上方端（埋設底面壁１１Ａ及び埋設側面壁１１Ｂ，１１Ｂの上方端）を閉塞するように埋設上面壁１１Ｃが配設されている。
これら、埋設側面壁１１Ｂ，１１Ｂ、埋設上面壁１１Ｃは、埋設底面壁１１Ａに対して略垂直となるように起立している。
【００１７】
そして、埋設底面壁１１Ａには、長辺の延びる方向（使用時における上下方向）に切り込まれたスリット１１ａが形成されている。
また、埋設側面壁１１Ｂ，１１Ｂの下端側には、下方に延出する埋設側軸支部１１１，１１１が各々形成されており、これら埋設側軸支部１１１，１１１には、回動軸Ｇが貫通する埋設側回動軸配設孔１１ｂ，１１ｂが形成されている。
【００１８】
この埋設側軸支部１１１，１１１の下端は、埋設底面壁１１Ａ下端よりも、下方に到達するように延出しており、よって、後方視において、埋設側軸支部１１１，１１１と埋設底面壁１１Ａ下端とで、下方に開口する略矩形の空間が形成される。
当該空間を、「回動規制空間Ｋ１」と記す。
更に、埋設上面壁１１Ｃの中央部には、後述するネジ１３が貫通する埋設上面壁ネジ貫通孔１１ｃが形成されている。
【００１９】
本実施形態に係る脚部１２は、横断面略凹形状の筐体であり、略矩形状の脚部底面壁１２Ａの相対向する長辺（使用時に水平方向に延びる辺）からは、脚部側面壁１２Ｂ，１２Ｂが起立している。
脚部側面壁１２Ｂ，１２Ｂの一端部には、回動軸Ｇが貫通する脚部側回動軸配設孔１２ｂ，１２ｂが各々形成されている。
なお、脚部側回動軸配設孔１２ｂ，１２ｂは、一端部において、若干、他端部方向に入った位置に形成されている。
【００２０】
埋設筐体部１１と脚部１２とは、埋設筐体部１１下端部に脚部側面壁一端部（脚部側回動軸配設孔１２ｂ，１２ｂ形成側端部）を嵌め込んで、回動軸Ｇにより軸支することにより連結される。
つまり、埋設側回動軸配設孔１１ｂ，１１ｂと脚部側回動軸配設孔１２ｂ，１２ｂとが整合するように（２個の連通孔を形成するように）、埋設筐体部１１下端部に脚部側面壁一端部が嵌め込まれ、これらに回動軸Ｇを貫通させることにより、埋設筐体部１１と脚部１２とは連結される。
このため、埋設筐体部１１に対して脚部１２は、回動可能となる。
【００２１】
なお、図３に示すように、脚部側回動軸配設孔１２ｂ，１２ｂは、脚部側面壁１２Ｂ，１２Ｂの一端部において、若干、他端部方向に入った位置に形成されている。
このため、埋設側回動軸配設孔１１ｂ，１１ｂと脚部側回動軸配設孔１２ｂ，１２ｂとを整合させた際に、脚部側面壁１２Ｂ，１２Ｂの一端側（埋設筐体部１１と連結される側の端部）は、突出することとなる。
つまり、図３（ａ）に示すように、脚部１２が埋設筐体部１１に格納された状態においては、脚部側面壁１２Ｂ，１２Ｂの一端部は、埋設側軸支部１１１，１１１の下端より下方へ位置しており、図３（ｂ）に示すように、脚部１２が下方へ回動すると、脚部側面壁１２Ｂ，１２Ｂの一端部は、回動規制空間Ｋ１に侵入する。
【００２２】
そして、図３（ｃ）に示すように、脚部１２開放状態となると、脚部側面壁１２Ｂ，１２Ｂは、埋設底面壁１１Ａの下端部と当接し、これ以上の回動（つまり、脚部側面壁１２Ｂ，１２Ｂの他端側がこれ以上下方へと回動）することが規制される。
本実施形態においては、脚部側回動軸配設孔１２ｂ，１２ｂの位置や、脚部側面壁１２Ｂの高さ（脚部底面壁１２Ａからの距離）等を調整することにより、脚部１２が埋設筐体部１１に対して略９０°となる位置で回動を規制している。
このように、本実施形態においては、脚部１２は、図３（ａ）の格納状態から、図３（ｃ）に開放状態、つまり、埋設筐体部１１に対して略９０°となる位置、まで回動することとなる。
【００２３】
また、脚部１２の内部（脚部底面壁１２Ａ及び脚部側面壁１２Ｂ，１２Ｂで囲まれた空間）には、ナット当接ブロックＰが配設されている。
このナット当接ブロックＰの端部（脚部１２の自由端側）は、アール形状の曲面となっており、当該曲面を「ナット滑面Ｐ１」と記す。
このナット当接ブロックＰは、本実施形態おいては、合成樹脂（例えば、ゴム）で形成されており、ナット滑面Ｐ１表面には、摩擦係数の小さい部材（例えば、フィルム等）が貼付されているとよい。
このように構成されているため、図４（ａ）〜図４（ｃ）に示すように、脚部１２は、簡易に回動展開されることとなる。
つまり、脚部１２の閉塞状態においては、図４（ａ）に示すように、ネジ１３下端（若しくは、ナット１４の下面）がナット滑面Ｐ１に圧接している。
【００２４】
そして、図４（ｂ）に示すように、開放状態に変位させる過程では、ナット１４がナット滑面Ｐ１を押すことにより脚部１２を回動展開方向へと押し出す。
このとき、ナット滑面Ｐ１は、Ｒ形状の曲面となっているため、この押し出しが効率的に実行される。また、摩擦係数が小さい部材が貼付されていれば、より、この押し出しが効率的に実行される。
なお、ナット当接ブロックＰ１の素材や、摩擦係数の小さい部材の素材等は、特に限定されるものではなく、発明の趣旨を逸脱しない範囲においてどのような素材が選択されてもよい。
このようにして、図４（ｃ）に示すように、脚部１２の回動展開が完了する。
【００２５】
本実施形態に係るネジ１３及びナット１４は、公知のネジ及び六角ナットが使用されている。
ネジ１３は、埋設上面壁１１Ｃに形成された埋設上面壁ネジ貫通孔１１ｃから、埋設筐体部１１内部に（上方から下方へ向けて）挿入される。
そして、このネジ１３において、埋設筐体部１１内部に配設される位置にはナット１４が取付けられている。
本実施形態に係る押しバネ１５は、公知のコイルスプリングであり、ネジ１３に挿設されるとともに、埋設上面壁１１Ｃの下面とナット１４の上面の間に亘るように配設されている。
【００２６】
また、本実施形態に係るキックバネ１６は、公知のキックバネが使用されており、輪状のスプリング部分は、回動軸Ｇに挿通されるとともに、脚の一端は筐体底面壁１１Ａに、他端は脚部底面壁１２Ａに圧接している。
このため、ネジ１３を引き上げて、埋設底面壁１１Ｃ下面とナット１４上面との距離を小さくすると、押しバネは、ナット１４を下方向に押圧する付勢力Ｆ１を付加する。
また、埋設筐体部１１に脚部１２を格納すると、キックバネ１６は、埋設底面壁に対して、脚部底面壁１２Ａを回動させる方向へと付勢力Ｆ２を付与する。
【００２７】
本実施形態に係る固定座金１７は、中央部にガイド座金貫通孔１７Ａが形成された略円環状の座金である。
このガイド座金貫通孔１７Ａは、円形の固定座金中心孔１７ａと、この固定座金中心孔１７ａと連通する略矩形のガイド垂下壁貫通孔１７ｂとで形成された鍵穴型（前方後円型）の孔である。
そして、固定座金１７の仮想中心点Ｏを中心として、ガイド垂下壁貫通孔１７ｂ形成位置に対して１８０°にあたる位置には、方向指示溝１７Ｂが形成されている。
【００２８】
本実施形態に係るガイド座金１８は、円環状のガイド固定ワッシャ部１８Ａと、このガイド固定ワッシャ部１８Ａの一部から垂下するガイド垂下壁１８Ｂとで形成されている。
このガイド固定ワッシャ部１８Ａの中央部には、ガイド側ネジ貫通孔１８ａが形成されている。
また、ガイド垂下壁１８Ｂは、ガイド固定ワッシャ部１８Ａと略垂直となるよう垂下するＬ字形状の部材である。
詳述すると、ガイド垂下壁１８Ｂは、ガイド固定ワッシャ部１８Ａから垂直に垂下する帯状の平板であるガイド誘導壁１８ｂと、このガイド誘導壁１８ｂの下端から屈曲してガイド固定ワッシャ部１８Ａ方向側に突出するスリット挿入壁１８ｃを有して構成される。
このスリット挿入壁１８ｃは、ガイド誘導壁１８ｂに対して略垂直となるように構成されている。
【００２９】
以上のように構成された各部材は、以下のように組み立てられている。
埋設筐体部１１と脚部１２とは、埋設筐体部１１下端部に脚部側面壁一端部（脚部側回動軸配設孔１２ｂ，１２ｂ形成側端部）を嵌め込んで、回動軸Ｇにより軸支することにより連結され、脚部１２は埋設筐体部１１の下方部において回動可能となっている。
このとき、前述の通り、脚部１２開放状態となると、脚部側面壁１２Ｂ，１２Ｂは、埋設底面壁１１Ａの下端部と当接し、脚部１２が埋設筐体部１１に対して略９０°となる位置までに回動が規制されている。
【００３０】
また、ネジ１３は、固定座金１７にセットされたガイド座金１８のガイド側ネジ貫通孔１８ａ及び埋設上面壁ネジ貫通孔１１ｃを貫通して、埋設筐体部１１内部に侵入しており、ネジ１３のネジ脚であって埋設筐体部１１内部に配設される位置には、ナット１４が配設されている。
そして、押しバネ１５が、ネジ１３のネジ脚に、埋設上面壁１１Ｃの下面とナット１４の上面の間に亘るように挿設されている。
【００３１】
また、キックバネ１６が、輪状のスプリング部分が、回動軸Ｇに挿通された状態で、脚の一端は筐体底面壁１１Ａに、他端は脚部底面壁１２Ａに圧接している。
なお、ナット１４は、六角ナットであり、その短径ｔ１は、埋設側面壁１１Ｂ，１１Ｂ間の距離ｔ３よりも僅かに小さくなるように構成されるとともに、その長径ｔ２は、距離ｔ３よりも僅かに大きくなるように構成されている。
そして、組立時には、短径ｔ１において埋設側面壁１１Ｂ，１１Ｂ間に近接するよう配置されるため、ナット１４は埋設側面壁１１Ｂ，１１Ｂを上下に移動できる。
しかし、ネジ１３を回転させると、長径ｔ２側が埋設側面壁１１Ｂ，１１Ｂに圧接して、当該位置でナット１４が固定されるよう構成される。
【００３２】
本実施形態に係る固定座金１７及びガイド座金１８は、埋設上面壁１１Ｃ上面と、ネジ１３のネジ頭との間に配置される。
固定座金１７とガイド座金１８について説明する。
固定座金１７の固定座金中心孔１７ａには、ガイド座金１８のガイド固定ワッシャ部１８Ａが配設されるとともに、固定座金１７のガイド垂下壁貫通孔１７ｂには、ガイド座金１８のガイド垂下壁１８Ｂが上方から下方へ挿通される。
そして、ガイド垂下壁１８Ｂのスリット挿入壁１８ｃは、その自由端側が、埋設底面壁１１Ａに形成されたスリット１１ａに挿入されている。
【００３３】
つまり、この構成により、スリット１１ａの直上には、固定座金１７のガイド垂下壁貫通孔１７ｂが、確実に配置されるようになり、よって、このガイド垂下壁貫通孔１７ｂと１８０°（仮想中心点Ｏに対して１８０°）真逆の位置にある方向指示溝１７Ｂは、確実にスリット１１ａと反対側である脚部１２の展開方向に向くこととなる（図１０参照）。
よって、上方から作業する作業員は、脚部１２の配設位置を、この方向指示溝１７Ｂにより確実に認知することができる。
なお、本実施形態においては、スリット挿入壁１８ｃをスリット１１ａに差し込むだけの構成としたが、これに限られることはなく、スリット１１ａより埋設筐体部１１内部に入り込んだ部分をスリット１１ａ幅より大きくして抜け止めとするよう構成されていてもよい。
【００３４】
（フック型ワンサイド固定金物の使用）
次いで、図６乃至図９により、フック型ワンサイド固定金物の使用状態について説明する。
図６に示すように、閉塞状態においては、脚部１２は、埋設筐体部１１に格納された状態である。
このとき、ネジ１３下端（若しくは、ナット１４）と、ナット当接ブロックＰのナット滑面Ｐ１とは、図３（ａ）等に示すように、圧接した状態である。
この状態で、図６に示すように、床根太Ｍに形成された金物配設孔Ｍ１に、埋設筐体部１１及び脚部１２を入れ込む。
このとき、固定座金１７、ガイド座金１８のガイド固定ワッシャ部１８Ａ、ボルト１３の頭部側は、金物配設孔Ｍ１上方に配設されている。
【００３５】
そして、固定座金１７を金物配設孔Ｍ１の上方を被覆するように配設する。
このとき、固定座金１７の方向指示溝１７Ｂを、床梁Ｈを構成する上部フランジＨ２方向に合わせる。
このように調整すると、上述のとおり、脚部１２は、ガイド座金１８を構成するガイド垂下壁１８Ｂの位置と反対側、つまりスリット１１ａと反対側である展開方向へと、確実に向きが整合する。
【００３６】
そして、図７に示すように、ボルト１４の頭部を残し、埋設筐体部１１及び脚部１２を、金物配設孔Ｍ１より下方へと落とす。
この脚部１２の展開途中の状態が図４（ｂ）である。
つまり、図４（ａ）の閉塞状態においては、押しバネ１５が収縮した状態であり、下方向への付勢力が付加されている。
この状態で閉塞する作用力が軽減すると、押しバネ１５は伸長し、ナット１４の押圧の補助力となる。
【００３７】
また、このとき、図５に示すように、キックバネ１６もまた、脚部底面壁１２Ａを展開方向へ押す。
よって、脚部１２が押しバネ１５及びキックバネ１６の付勢力により、確実に展開回動する。
このようにして、図８に示すように、脚部１２は、金物配設孔Ｍ１の下方で、確実に展開する。
【００３８】
重ねていうと、このとき、図９に示すように、上述のガイド座金１８の作用により、この脚部１２は、床梁Ｈを構成する上部フランジＨ２方向に確実に展開されている。
次いで、この状態で、ネジ１３を締結方向に回転させると、ナット１４は、その短径ｔ１が埋設側面壁１１Ｂ，１１Ｂ間の距離ｔ３よりも僅かに小さくなるように構成されるとともに、その長径ｔ２が距離ｔ３よりも僅かに大きくなるように構成されているため、長径ｔ２側が埋設側面壁１１Ｂ，１１Ｂに圧接して、当該位置でナット１４が固定される。
そして、そのナット１４に向かって締結が行われ、図９に示すように、床根太Ｍ上面と上部フランジＨ２とが把持固定される。
【００３９】
（脚部展開確認機構例）
また、上述に記載のフック型ワンサイド固定金物１に対して、脚部展開確認機構Ｓ１を付加すると、より好適である。
脚部展開確認機構Ｓ１は、図１１に示すように、
長尺部材Ｓ１１を脚部１２に固定することにより形成される。
つまり、脚部１２の自由端側に、長尺部材Ｓ１１の一端を固定しておく。
そして、金物配設孔Ｍ１の下方で脚部１２を展開させると、長尺部材Ｓ１１は、この展開に従い、金物配設孔Ｍ１の下方へと落ち込む。
よって、脚部１２が確実に展開した場合には、長尺部材Ｓ１１が落ち込むため、これを確認すれば、脚部１２の展開を認知することができる。
この長尺部材Ｓ１１は、どのようなものであってもよいが、例えば、糸、テグス、ワイヤ等が使用されるとよい。
【００４０】
（閉塞保持機構例）
また、上述に記載のフック型ワンサイド固定金物１に対して、埋設筐体部１１に脚部１２を格納した状態で自然保持するために、閉塞保持機構Ｓ２を付加すると好適である。
この閉塞保持機構Ｓ２は、図１２及び図１３に示すように、埋設筐体側凸部Ｓ２１，Ｓ２１と、脚部側凹部Ｓ２２，Ｓ２２と、を有して構成されている。
埋設筐体側凸部Ｓ２１，Ｓ２１は、埋設側面壁１１Ｂ，１１Ｂに各々形成された内側へ凸となる部分である。
また、脚部側凹部Ｓ２２，Ｓ２２は、脚部側面壁１２Ｂ，１２Ｂに各々形成された内側へ凹む部分である。
【００４１】
これら、埋設筐体側凸部Ｓ２１，Ｓ２１と脚部側凹部Ｓ２２，Ｓ２２とは、脚部１２閉塞状態において、係合するように構成されている。
そして、これらは、押しバネ１５の最大付勢力に僅かに抗う程度に係合しており、ナット１４（ネジ１３）が下降すると、係合が外れ脚部１２が展開回動するよう構成される。
なお、今回は、凹凸部を各々形成したが、これに限られることはなく、溝等の構成であってもよく、本発明の趣旨を逸脱しない範囲でどのようにでも構成できるものである。
【符号の説明】
【００４２】
１  フック型ワンサイド固定金物
１１  埋設筐体部（金物基体部）
１１Ａ  埋設底面壁
１１ａ  スリット
１１Ｂ  埋設側面壁
１１１  埋設側軸支部
１１ｂ  埋設側回動軸配設孔
１１Ｃ  埋設上面壁（金物基体部上面壁）
１１ｃ  埋設上面壁ネジ貫通孔
Ｋ１  回動規制空間
１２  脚部
１２Ａ  脚部底面壁
１２Ｂ  脚部側面壁
１２ｂ  脚部側回動軸配設孔
Ｐ  ナット当接ブロック（ナット当接部材）
Ｐ１  ナット滑面
１３  ネジ
１４  ナット
１５  押しバネ
１６  キックバネ
１７  固定座金
１７Ａ  ガイド座金貫通孔
１７ａ  固定座金中心孔
１７ｂ  ガイド垂下壁貫通孔
１７Ｂ  方向指示溝
Ｏ  仮想中心点
１８  ガイド座金
１８Ａ  ガイド固定ワッシャ部
１８ａ  ガイド側ネジ貫通孔
１８Ｂ  ガイド垂下壁
１８ｂ  ガイド誘導壁
１８ｃ  スリット挿入壁
Ｇ  回動軸
Ｓ１  脚部展開確認機構
Ｓ１１  長尺部材
Ｓ２  閉塞保持機構
Ｓ２１  埋設筐体側凸部
Ｓ２２  脚部側凹部
Ｈ  床梁
Ｈ１  架橋部
Ｈ２  上部フランジ
Ｈ３  下部フランジ
Ｍ  床根太
Ｍ１  金物配設孔
【要約】
【課題】本発明の目的は、アンカとなる脚部を開かせるための機構を搭載し、確実かつ簡易に脚部が開放したことを認知可能としたフック型ワンサイド固定金物を提供することにある。
【解決手段】金物基体部１１の一端に脚部１２の一端が、回動可能に枢着されたフック型ワンサイド固定金物１に関する。フック型ワンサイド固定金物１は、筐体状の金物基体部１と、ネジ１３に螺合しているナット１４と、金物基体部１１の上部に配設され、脚部１２とともに被固定物Ｍ，Ｈを挟持固定する固定座金１７と、を有して構成されている。脚部１２の一部には、長尺状の部材Ｓ１１の一端部が取付けられており、脚部１２の回動展開に伴い、この長尺状の部材Ｓ１１の他端部が移動するよう構成されている。
【選択図】図１１【図１】
0005843936.tif 000002
【図２】
0005843936.tif 000003
【図３】
0005843936.tif 000004
【図４】
0005843936.tif 000005
【図５】
0005843936.tif 000006
【図６】
0005843936.tif 000007
【図７】
0005843936.tif 000008
【図８】
0005843936.tif 000009
【図９】
0005843936.tif 000010
【図１０】
0005843936.tif 000011
【図１１】
0005843936.tif 000012
【図１２】
0005843936.tif 000013
【図１３】
0005843936.tif 000014